(57)【要約】【課題】本にブックカバーを掛けると共に発注者毎に仕分けて排出できるようにしたブックカバー掛け装置を提供する。【解決手段】ブックカバー掛け装置１Ａは、本に付与された本ＩＤ１３を取得する本ＩＤ読取部３Ａと、ブックカバーを給紙する給紙部４Ａと、本にブックカバーをかけるブックカバー掛け部５Ａと、本を仕分け、仕分けられた本を区別して集積する仕分け部６Ａと、本ＩＤ１３と発注者ＩＤ１４を含む発注情報Ｄ１を、ＩＤ管理サーバ１０Ａで検索し、本ＩＤ１３に対応した発注者ＩＤ１４を取得して、ブックカバー掛け部５Ａでブックカバーが掛けられた本を、仕分け部６Ａで発注者毎に仕分けて排出する制御部７Ａとを備える。【選択図】図１
2016043533.tif 000002
【特許請求の範囲】
【請求項１】
本に付与された本識別情報を取得する本識別情報取得手段と、
ブックカバーを給紙するブックカバー供給手段と、
本にブックカバーをかけるブックカバー掛け手段と、
本を仕分け、仕分けられた本を区別して集積する排出部を有した本仕分け手段と、
本識別情報及び発注者に付与された発注者識別情報を少なくとも含む発注情報を、前記本識別情報取得手段で取得した本識別情報で検索し、本識別情報に対応した発注者識別情報を取得して、前記ブックカバー掛け手段でブックカバーが掛けられた本を、前記本仕分け手段で発注者識別情報毎に仕分けて排出する制御手段と
を備えたことを特徴とするブックカバー掛け装置。
【請求項２】
前記ブックカバー供給手段は、複数種類のブックカバーの中から選択されたブックカバーを給紙する収納部を備え、
発注情報には、ブックカバーに付与されたブックカバー識別情報を含み、
前記制御手段は、前記本識別情報取得手段で取得した本識別情報に対応した発注者識別情報及びブックカバー識別情報を取得して、ブックカバー識別情報で選択されたブックカバーが掛けられた本を、前記本仕分け手段で発注者識別情報毎に仕分けて排出する
ことを特徴とする請求項１に記載のブックカバー掛け装置。
【請求項３】
本識別情報には、本のサイズ情報を含み、
前記制御手段は、前記本識別情報取得手段で取得した本識別情報に対応した発注者識別情報及びブックカバー識別情報を取得して、ブックカバー識別情報で本のサイズに応じて選択されたブックカバーが掛けられた本を、前記本仕分け手段で発注者識別情報毎に仕分けて排出する
ことを特徴とする請求項２に記載のブックカバー掛け装置。
【請求項４】
発注情報には、発注者識別情報にブックカバー識別情報が付与され、
前記制御手段は、前記本識別情報取得手段で取得した本識別情報に対応した発注者識別情報及びブックカバー識別情報を取得して、発注者識別情報で特定されるブックカバー識別情報で選択されたブックカバーが掛けられた本を、前記本仕分け手段で発注者識別情報毎に仕分けて排出する
ことを特徴とする請求項２に記載のブックカバー掛け装置。
【請求項５】
発注情報が記憶された識別情報管理手段と接続される通信手段を備え、
前記制御手段は、本識別情報に対応した発注者識別情報を、前記通信手段で前記識別情報管理手段から取得して、前記ブックカバー掛け手段でブックカバーが掛けられた本を、前記本仕分け手段で発注者識別情報毎に仕分けて排出する
ことを特徴とする請求項１〜請求項４の何れか１項に記載のブックカバー掛け装置。
【請求項６】
発注情報が記憶される記憶手段を備え、
前記制御手段は、本識別情報に対応した発注者識別情報を前記記憶手段から取得して、前記ブックカバー掛け手段でブックカバーが掛けられた本を、前記本仕分け手段で発注者識別情報毎に仕分けて排出する
ことを特徴とする請求項１〜請求項４の何れか１項に記載のブックカバー掛け装置。
【請求項７】
本にブックカバーを掛けるブックカバー掛け装置と、
本に付与された本識別情報及び発注者に付与された発注者識別情報を少なくとも含む発注情報が記憶された識別情報管理手段と、
本の発注を受けて発注情報を生成し、前記識別情報管理手段に記憶する本発注手段とを備え、
前記ブックカバー掛け装置は、
本から本識別情報を取得する本識別情報取得手段と、
ブックカバーを給紙するブックカバー供給手段と、
本にブックカバーをかけるブックカバー掛け手段と、
本を仕分け、仕分けられた本を区別して集積する排出部を有した本仕分け手段と、
前記識別情報管理手段と接続される通信手段と、
前記通信手段で前記識別情報管理手段と通信し、発注情報を前記本識別情報取得手段で取得した本識別情報で検索し、本識別情報に対応した発注者識別情報を前記識別情報管理手段から取得して、前記ブックカバー掛け手段でブックカバーが掛けられた本を、前記本仕分け手段で発注者識別情報毎に仕分けて排出する制御手段と
を備えたことを特徴とするブックカバー掛けシステム。
【発明の詳細な説明】
【技術分野】
【０００１】
本発明は、本にブックカバーを掛け、この本を発注者毎に仕分けるブックカバー掛け装置、及び、ブックカバー掛け装置を備えたブックカバー掛けシステムに関する。
【背景技術】
【０００２】
Ｗｅｂ等で注文を受けた本を発注者に発送するシステムが実用化されている。このような本の発送システムにおいて、本にブックカバーを掛けて提供するシステムが提案されている。
【０００３】
ブックカバーが掛けられた本は、外部よりタイトル等が識別できない。そこで、ブックカバーにタイトルや特定の図柄を印刷して提供できるようにした技術が提案されている（例えば、特許文献１参照）。
【先行技術文献】
【特許文献】
【０００４】
【特許文献１】特開２０１３−５４２０３号公報
【発明の概要】
【発明が解決しようとする課題】
【０００５】
ブックカバーを掛ける処理を自動化する場合、異なる発注者の本が混在すると、例えブックカバーにタイトル等が記載されていても、本を発送するためには、発注者毎に本を仕分ける作業が必要となる。
【０００６】
図１３は、ブックカバーを掛ける処理の従来の概要を示す説明図である。注文を受けた本３００を収集する作業者は、書庫１００等で発注者毎に本３００を収集する。本収集処理３０１では、異なる発注者の本３００が混在しないようにするため、発注者毎に例えばトレイ３０２やワゴン等の収集部材を用意し、まず、発注者Ａの本を収集する。
【０００７】
発注者Ａの本を収集すると、収集した本にブックカバーを掛けるブックカバー掛け処理３０３を行い、ブックカバーが掛けられた本３００を、異なる発注者の本３００と混在しないようにするため、発注者Ａに割り当てられたトレイ３０２に収集する。
【０００８】
次に、発注者Ｂに割り当てるトレイ３０２を用意して、本収集処理３０１で発注者Ｂの本を収集し、収集した本にブックカバーを掛けるブックカバー掛け処理３０３を行い、ブックカバーが掛けられた本３００を、発注者Ｂに割り当てられたトレイ３０２に収集する。
【０００９】
ブックカバーが掛けられた本は、どの本がどの発注者の本なのか識別できず、梱包・配送作業ができないので、上述した本収集処理３０１とブックカバー掛け処理３０３を、発注者毎に行う必要がある。
【００１０】
しかし、Ｗｅｂ等で注文を受ける場合、扱う本の量は膨大な冊数であり、非常に広いことが想定される書庫において、発注者一人毎に本を収集する作業、発注者毎にブックカバーを掛けて仕分ける作業は、非効率かつ煩雑であり、作業者の負荷が大きなものとなる。
【００１１】
本発明は、このような課題を解決するためなされたもので、異なる発注者の本が混在する状態でも、本にブックカバーを掛けると共に発注者毎に仕分けて排出できるようにしたブックカバー掛け装置及びブックカバー掛けシステムを提供することを目的とする。
【課題を解決するための手段】
【００１２】
上述した課題を解決するため、請求項１に係る発明は、本に付与された本識別情報を取得する本識別情報取得手段と、ブックカバーを給紙するブックカバー供給手段と、本にブックカバーをかけるブックカバー掛け手段と、本を仕分け、仕分けられた本を区別して集積する排出部を有した本仕分け手段と、本識別情報及び発注者に付与された発注者識別情報を少なくとも含む発注情報を、本識別情報取得手段で取得した本識別情報で検索し、本識別情報に対応した発注者識別情報を取得して、ブックカバー掛け手段でブックカバーが掛けられた本を、本仕分け手段で発注者識別情報毎に仕分けて排出する制御手段とを備えたブックカバー掛け装置である。
【００１３】
請求項２に係る発明は、ブックカバー供給手段は、複数種類のブックカバーの中から選択されたブックカバーを給紙する収納部を備え、発注情報には、ブックカバーに付与されたブックカバー識別情報を含み、制御手段は、本識別情報取得手段で取得した本識別情報に対応した発注者識別情報及びブックカバー識別情報を取得して、ブックカバー識別情報で選択されたブックカバーが掛けられた本を、本仕分け手段で発注者識別情報毎に仕分けて排出する請求項１に記載のブックカバー掛け装置である。
【００１４】
請求項３に係る発明は、本識別情報には、本のサイズ情報を含み、制御手段は、本識別情報取得手段で取得した本識別情報に対応した発注者識別情報及びブックカバー識別情報を取得して、ブックカバー識別情報で本のサイズに応じて選択されたブックカバーが掛けられた本を、本仕分け手段で発注者識別情報毎に仕分けて排出する請求項２に記載のブックカバー掛け装置である。
【００１５】
請求項４に係る発明は、発注情報には、発注者識別情報にブックカバー識別情報が付与され、制御手段は、本識別情報取得手段で取得した本識別情報に対応した発注者識別情報及びブックカバー識別情報を取得して、発注者識別情報で特定されるブックカバー識別情報で選択されたブックカバーが掛けられた本を、本仕分け手段で発注者識別情報毎に仕分けて排出する請求項２に記載のブックカバー掛け装置である。
【００１６】
請求項５に係る発明は、発注情報が記憶された識別情報管理手段と接続される通信手段を備え、制御手段は、本識別情報に対応した発注者識別情報を、通信手段で識別情報管理手段から取得して、ブックカバー掛け手段でブックカバーが掛けられた本を、本仕分け手段で発注者識別情報毎に仕分けて排出する請求項１〜請求項４の何れか１項に記載のブックカバー掛け装置である。
【００１７】
請求項６に係る発明は、発注情報が記憶される記憶手段を備え、制御手段は、本識別情報に対応した発注者識別情報を記憶手段から取得して、ブックカバー掛け手段でブックカバーが掛けられた本を、本仕分け手段で発注者識別情報毎に仕分けて排出する請求項１〜請求項４の何れか１項に記載のブックカバー掛け装置である。
【００１８】
請求項７に係る発明は、本にブックカバーを掛けるブックカバー掛け装置と、本に付与された本識別情報及び発注者に付与された発注者識別情報を少なくとも含む発注情報が記憶された識別情報管理手段と、本の発注を受けて発注情報を生成し、識別情報管理手段に記憶する本発注手段とを備え、ブックカバー掛け装置は、本から本識別情報を取得する本識別情報取得手段と、ブックカバーを給紙するブックカバー供給手段と、本にブックカバーをかけるブックカバー掛け手段と、本を仕分け、仕分けられた本を区別して集積する排出部を有した本仕分け手段と、識別情報管理手段と接続される通信手段と、通信手段で識別情報管理手段と通信し、発注情報を本識別情報取得手段で取得した本識別情報で検索し、本識別情報に対応した発注者識別情報を識別情報管理手段から取得して、ブックカバー掛け手段でブックカバーが掛けられた本を、本仕分け手段で発注者識別情報毎に仕分けて排出する制御手段とを備えたブックカバー掛けシステムである。
【発明の効果】
【００１９】
本発明では、異なる発注者の本が混在する状態でも、本識別情報に対応した発注者識別情報を取得して、ブックカバー掛け装置で本を発注者毎に仕分けることができる。これにより、本を収集する作業を発注者毎に分ける等、ブックカバー掛け装置でブックカバーを掛ける処理を行うより前に、人手によって本を発注者毎に仕分ける必要はなく、作業者の負荷を低減することができる。
【図面の簡単な説明】
【００２０】
【図１】第１の実施の形態のブックカバー掛けシステムの一例を示す構成図である。
【図２】第１の実施の形態のブックカバー掛け装置の一例を示す構成図である。
【図３】第１の実施の形態のブックカバー掛け装置及びブックカバー掛けシステムで実行されるブックカバーを掛ける処理の概要を示す説明図である。
【図４】第１の実施の形態のブックカバー掛けシステムの動作の一例を示す構成図である。
【図５】第１の実施の形態のブックカバー掛け装置の動作の一例を示す構成図である。
【図６】第１の実施の形態のブックカバー掛け装置の動作の一例を示す構成図である。
【図７】第１の実施の形態のブックカバー掛け装置の動作の一例を示す構成図である。
【図８】第１の実施の形態のブックカバー掛け装置の動作の一例を示す構成図である。
【図９】第１の実施の形態のブックカバー掛け装置及びブックカバー掛けシステムの変形例を示す構成図である。
【図１０】第１の実施の形態のブックカバー掛け装置及びブックカバー掛けシステムの変形例を示す構成図である。
【図１１】第２の実施の形態のブックカバー掛けシステムの一例を示す構成図である。
【図１２】第２の実施の形態のブックカバー掛け装置の一例を示す構成図である。
【図１３】ブックカバーを掛ける処理の従来の概要を示す説明図である。
【発明を実施するための形態】
【００２１】
以下、図面を参照して、本発明のブックカバー掛け装置及びブックカバー掛けシステムの実施の形態について説明する。
【００２２】
＜第１の実施の形態のブックカバー掛け装置及びブックカバー掛けシステムの構成例＞
図１は、第１の実施の形態のブックカバー掛けシステムの一例を示す構成図、図２は、第１の実施の形態のブックカバー掛け装置の一例を示す構成図である。
【００２３】
第１の実施の形態のブックカバー掛け装置１Ａは、ＩＤ管理サーバ１０Ａと接続されて使用される。第１の実施の形態のブックカバー掛けシステム１１Ａは、ＩＤ管理サーバ１０Ａと、ＩＤ管理サーバ１０Ａと接続される１台または複数台のブックカバー掛け装置１Ａを備える。
【００２４】
ＩＤ管理サーバ１０Ａは識別情報管理手段の一例で、購買の注文を受けた本１２を、注文をした発注者毎、同一発注者による注文毎等、所定の単位で仕分けられるようにするため、発注情報Ｄ１１が記憶される。
【００２５】
発注情報Ｄ１１は、注文された本１２に付与されている本ＩＤ１３と、発注者に付与されている発注者ＩＤ１４が対応付けられて記憶される。本ＩＤ１３は本識別情報の一例で、本毎に付与される固有の識別情報を含む。発注者ＩＤ１４は発注者識別情報の一例で、発注者毎に付与される固有の識別情報を含む。
【００２６】
また、発注情報Ｄ１１は、注文毎に付与される固有の識別情報である発注ＩＤ、注文を受けた本１０を、書庫等から収集する作業を行う作業者を識別する作業者ＩＤ、ブックカバー１２Ｃｖを掛ける処理を行うブックカバー掛け装置１Ａを識別する機体ＩＤ等が記憶されても良い。
【００２７】
ブックカバー掛けシステム１１Ａは、本発注システム１５Ａに接続されて使用される。本発注手段である本発注システム１５Ａでは、本１２を購読する注文を受けると、注文をした発注者の発注者ＩＤ１４と、この発注者が注文をした本１２の本ＩＤ１３が、ＩＤ管理サーバ１０Ａに記憶される。
【００２８】
次に、本１２にブックカバー１２Ｃｖを掛けるブックカバー掛け装置１Ａについて説明する。ブックカバー掛け装置１Ａは、本１２を取り込む本取込部２Ａと、本１２から本ＩＤ１３を読み取る本ＩＤ読取部３Ａを備える。また、ブックカバー掛け装置１Ａは、ブックカバー１２Ｃｖを給紙する給紙部４Ａと、ブックカバー１２Ｃｖを本１２に掛けるブックカバー掛け部５Ａを備える。
【００２９】
更に、ブックカバー掛け装置１Ａは、ブックカバー１２Ｃｖが掛けられた本１２を仕分けて排出する仕分け部６Ａを備える。また、ブックカバー掛け装置１Ａは、本ＩＤ読取部３Ａで読み取った本ＩＤ１３に基づき、本１２にブックカバー１２Ｃｖを掛けて仕分ける制御部７Ａと、制御部７Ａで実行されるプログラム等を記憶する記憶部８Ａを備える。更に、ブックカバー掛け装置１Ａは、外部装置との通信を行う通信部９Ａを備える。
【００３０】
本ＩＤ読取部３Ａは本識別情報取得手段の一例で、本１２に付与された本ＩＤ１３を取得する。本ＩＤ１３は、本１２に固有の識別情報を含む例えば１次元あるいは２次元のコード情報が、本１２の裏表紙等に印刷されている。
【００３１】
このような本ＩＤ１３を読み取るため、本ＩＤ読取部３Ａは、ブックカバー掛け部５Ａでブックカバー１２Ｃｖが掛けられる前の本１２から本ＩＤ１３を読み取れる位置に、光学的な読取装置を備える。
【００３２】
本ＩＤ読取部として、ハンドスキャナと称されるような可搬型の読取装置を備える構成としても良いが、本ＩＤを読み取った本と異なる本が本取込部２Ａから投入される可能性がある。そこで、本取込部２Ａから挿入された本１２の搬送経路に本ＩＤ読取部３Ａを備えることで、本ＩＤ１３を取得した本１２に対してブックカバー１２Ｃｖを掛ける処理を行うことができる。
【００３３】
給紙部４Ａはブックカバー供給手段の一例で、ブックカバー１２Ｃｖが収納される給紙トレイ４０Ａと、給紙トレイ４０Ａからブックカバー１２Ｃｖを給紙する給紙機構４１Ａを備える。給紙部４Ａは、柄の異なるブックカバー１２Ｃｖ、サイズの異なるブックカバー１２Ｃｖ等、複数種類のブックカバー１２Ｃｖを収納するため、収納部として、複数の給紙トレイ４０Ａを備える。給紙機構４１Ａは、給紙トレイ４０Ａから１枚のブックカバー１２Ｃｖを繰り出し、ブックカバー掛け部５Ａに給紙する。
【００３４】
ブックカバー掛け部５Ａはブックカバー掛け手段の一例で、本１２を保持する保持機構５０Ａと、本１２にブックカバー１２Ｃｖを掛けるカバー掛け機構５１Ａを備える。カバー掛け機構５１Ａは、保持機構５０Ａで保持された本１２の表紙及び裏表紙を開き、給紙機構４１Ａで給紙されたブックカバー１２Ｃｖを所定の位置で折り曲げることで、本１２にブックカバー１２Ｃｖを掛ける。
【００３５】
仕分け部６Ａは本仕分け手段の一例で、ブックカバー１２Ｃｖが掛けられた本１２を、発注者毎等の所定の仕分け単位で仕分けて排出するため、排出部として複数の排出トレイ６０Ａを備える。ここで、排出トレイ６０Ａに、液晶ディスプレイ等のフラットパネルディスプレイ、あるいは、他の表示手段を備えて、発注者ＩＤ１４等、発注者を識別できる情報を排出トレイ６０Ａ毎に通知できるようにしても良い。あるいは、ブックカバー掛け装置１Ａの図示しない操作部に表示手段を備え、この表示手段に排出トレイの配置等を模式的に表示して、発注者を識別できる情報を通知できるようにしても良い。
【００３６】
制御部７Ａは制御手段の一例で、ブックカバー掛け装置１Ａで取り込んだ本１２から本ＩＤ読取部３Ａによって読み取った本ＩＤ１３をＩＤ管理サーバ１０Ａに通知し、この本１２を注文した発注者の発注者ＩＤ１４を発注情報Ｄ１１から取得する。
【００３７】
そして、ブックカバー掛け装置１Ａで取り込んだ本１２に、ブックカバー掛け部５Ａでブックカバー１２Ｃｖを掛けると共に、発注情報Ｄ１１で本ＩＤ１３から発注者ＩＤ１４が特定されて発注者が識別された本１２を、発注者毎に仕分けをして排出する。
【００３８】
記憶部８Ａは記憶手段の一例で、本１２にブックカバー１２Ｃｖを掛ける処理を実行するプログラム、同処理で使用される情報等が記憶される。通信部９Ａは通信手段の一例で、有線あるいは無線でＩＤ管理サーバ１０Ａと接続され、ブックカバー掛け装置１ＡとＩＤ管理サーバ１０Ａとの間で通信の制御を行う。
【００３９】
＜第１の実施の形態のブックカバー掛け装置及びブックカバー掛けシステムの動作例＞
図３は、第１の実施の形態のブックカバー掛け装置及びブックカバー掛けシステムで実行されるブックカバーを掛ける処理の概要を示す説明図、図４は、第１の実施の形態のブックカバー掛けシステムの動作の一例を示す構成図である。また、図５〜図８は、第１の実施の形態のブックカバー掛け装置の動作の一例を示す構成図であり、次に、各図を参照して、本１２にブックカバー１２Ｃｖを掛け、発注者毎に仕分ける動作について説明する。
【００４０】
本発注システム１５Ａでは、本１２を購読する注文を受けると、注文をした発注者の発注者ＩＤ１４と、この発注者が注文をした本１２の本ＩＤ１３が対応付けられた発注情報Ｄ１１が生成され、ＩＤ管理サーバ１０Ａに記憶される。
【００４１】
本ＩＤ１３と発注者ＩＤ１４を所定の桁数の符号で表す場合に、発注情報Ｄ１１を、（本ＩＤ,発注者ＩＤ）と記述する場合、例えば、発注者ＩＤ１４が「Ａ」の発注者により、本ＩＤ１３が「００２」と「００５」の本が注文されると、発注情報Ｄ１１として、（００２,Ａ）、（００５,Ａ）がＩＤ管理サーバ１０Ａに記憶される。また、発注者ＩＤ１４が「Ｂ」の発注者により、本ＩＤ１３が「００１」、「００４」及び「００７」の本が注文されると、発注情報Ｄ１１として、（００１,Ｂ）、（００４,Ｂ）、（００７,Ｂ）がＩＤ管理サーバ１０Ａに記憶される。
【００４２】
注文を受けた本１２を収集する作業者は、例えば、本発注システム１５Ａで出力された本リストを参照して、書庫１００等で本１２を収集する。本発明では、ブックカバー掛け装置１Ａで実行されるブックカバー掛け・仕分け処理２００で、本１２にブックカバー１２Ｃｖを掛けると共に本１２を仕分けるので、作業者は、本１２を収集する作業を発注者毎に分ける必要はない。
【００４３】
これにより、図４に示す本収集作業２０１では、異なる発注者の本１２が混在するような形態で収集をすることが可能となり、複数の発注者が居るような場合でも、１度の作業で本１２を収集することが可能となる。
【００４４】
書庫１００で複数の本棚１０１（１）〜（ｎ）から複数冊の本１２を収集する場合に、例えば、可搬型のワゴンやトレイ等の収集部材を用いる場合があるが、１つのトレイ等に異なる発注者の本１２を混在させて収集することが可能である。例えば、発注者ＩＤ１４が「Ａ」の発注者により注文された本ＩＤ１３が「００２」及び「００５」の本１２と、発注者ＩＤ１４が「Ｂ」の発注者により注文された本ＩＤ１３が「００１」、「００４」及び「００７」の本１２を、区別することなく一度の作業で収集することができる。
【００４５】
作業者が取集した本１２は、ブックカバー掛け装置１Ａに１冊ずつ挿入される。ブックカバー掛け装置１Ａでは、図５に示すように、制御部７Ａは、本取込部２Ａから挿入された本１２を本ＩＤ読取部３Ａに搬送し、本１２の本ＩＤ１３を本ＩＤ読取部３Ａで読み取る。
【００４６】
制御部７Ａは、本ＩＤ読取部３Ａによって本１２から読み取った本ＩＤ１３をＩＤ管理サーバ１０Ａに通知する。ＩＤ管理サーバ１０Ａでは、ブックカバー掛け装置１Ａで取得した本ＩＤ１３と対応付けられた発注者ＩＤ１４を発注情報Ｄ１１で検索し、本ＩＤ１３で識別される本１２を注文した発注者の発注者ＩＤ１４をブックカバー掛け装置１Ａに通知する。
【００４７】
制御部７Ａは、図６に示すように、給紙トレイ４０Ａに収納されたブックカバー１２Ｃｖを給紙機構４１Ａでブックカバー掛け部５Ａに給紙する。また、制御部７Ａは、本１２をブックカバー掛け部５Ａに搬送し、保持機構５０Ａで保持する。
【００４８】
制御部７Ａは、図７に示すように、保持機構５０Ａで保持された本１２の表紙及び裏表紙を、カバー掛け機構５１Ａの動作で開き、給紙機構４１Ａで給紙されたブックカバー１２Ｃｖを所定の位置で折り曲げることで、本１２にブックカバー１２Ｃｖを掛ける。
【００４９】
制御部７Ａは、図８に示すように、ブックカバー１２Ｃｖが掛けられた本１２を、ＩＤ管理サーバ１０Ａから取得した発注者ＩＤ１４で識別される発注者毎に割り当てられた所定の排出トレイ６０Ａに排出する。
【００５０】
ブックカバー掛け装置１Ａでは、異なる発注者により注文された本１２が混在した状態でブックカバー１２Ｃｖを掛ける処理を行う場合でも、本１２から読み取った本ＩＤ１３で発注情報Ｄ１１を検索して取得した発注者ＩＤ１４に基づき、発注者毎に割り当てられた排出トレイ６０Ａに本１２が排出される。
【００５１】
図３及び図４に示す発注情報Ｄ１１の例では、本ＩＤ１３が「００２」と「００５」の本１２は、発注者ＩＤ１４が「Ａ」の発注者が注文した本１２であり、発注者ＩＤ１４が「Ａ」の発注者に割り当てられた排出トレイ６０Ａに排出される。
【００５２】
また、本ＩＤ１３が「００１」と「００４」及び「００７」の本１２は、発注者ＩＤ１４が「Ｂ」の発注者が注文した本１２であり、発注者ＩＤ１４が「Ｂ」の発注者に割り当てられた排出トレイ６０Ａに排出される。
【００５３】
これにより、本１２を収集する作業を発注者毎に分ける等、ブックカバー掛け装置１Ａでブックカバー１２Ｃｖを掛ける処理を行うより前に、人手によって本１２を発注者毎に仕分ける必要はなく、作業者の負荷を低減することができる。なお、各排出トレイ６０Ａに表示手段を備え、発注者を識別できる情報を排出トレイ６０Ａ毎に通知できるようにすることで、どの排出トレイ６０Ａにどの発注者の本１２が排出されているかを容易に認識することが可能となる。
【００５４】
梱包、発送作業では、排出トレイ６０Ａ毎に本１２を集める作業を行えばよく、作業者の負荷を低減することができる。
【００５５】
＜第１の実施の形態のブックカバー掛け装置及びブックカバー掛けシステムの変形例＞
図９及び図１０は、第１の実施の形態のブックカバー掛け装置及びブックカバー掛けシステムの変形例を示す構成図である。
【００５６】
ブックカバー掛けシステム１１Ａでは、ブックカバー１２Ｃｖを識別するブックカバーＩＤ１６を発注情報Ｄ１２１あるいは発注情報Ｄ１２２記憶することで、本１２のサイズ、発注者の選択等に応じた所望のブックカバー１２Ｃｖを本１２に掛けることが可能である。
【００５７】
ブックカバーＩＤ１６はブックカバー識別情報の一例で、サイズ、柄等が異なるブックカバー毎に付与される固有の識別情報である。
【００５８】
ブックカバー掛け装置１Ａでは、給紙トレイ４０Ａに収納されるブックカバー１２Ｃｖに合わせて、ブックカバーＩＤ１６が給紙トレイ４０Ａに割り当てられ、各給紙トレイ４０Ａに割り当てられたブックカバーＩＤ１６が給紙トレイ情報Ｄ２として記憶部８Ａに記憶される。
【００５９】
給紙トレイ情報Ｄ２では、給紙トレイ４０Ａを識別する給紙トレイ番号１７と、ブックカバーＩＤ１６が対応付けられて記憶される。例えば、４個の給紙トレイ４０Ａを備える構成では、給紙トレイ番号１７として、１番目の給紙トレイ４０ＡにはＮｏ．１が付与され、２番目の給紙トレイ４０ＡにはＮｏ．２が付与され、３番目の給紙トレイ４０ＡにはＮｏ．３が付与され、４番目の給紙トレイ４０ＡにはＮｏ．４が付与される。
【００６０】
給紙トレイ情報Ｄ２を、（給紙トレイ番号,ブックカバーＩＤ）と記述する場合、例えば、給紙トレイ番号１７が「Ｎｏ．１」の給紙トレイ４０Ａに、ブックカバーＩＤ１６が「０１」のブックカバー１２Ｃｖが収納される場合は、給紙トレイ情報Ｄ２として、（Ｎｏ．１, ０１）が記憶部８Ａに記憶される。
【００６１】
同様に、給紙トレイ番号１７が「Ｎｏ．２」の給紙トレイ４０Ａに、ブックカバーＩＤ１６が「０２」のブックカバー１２Ｃｖが収納される場合は、給紙トレイ情報Ｄ２として、（Ｎｏ．２, ０２）が記憶部８Ａに記憶される。
【００６２】
また、給紙トレイ番号１７が「Ｎｏ．３」の給紙トレイ４０Ａに、ブックカバーＩＤ１６が「０３」のブックカバー１２Ｃｖが収納される場合は、給紙トレイ情報Ｄ２として、（Ｎｏ．３, ０３）が記憶部８Ａに記憶される。
【００６３】
更に、給紙トレイ番号１７が「Ｎｏ．４」の給紙トレイ４０Ａに、ブックカバーＩＤ１６が「０４」のブックカバー１２Ｃｖが収納される場合は、給紙トレイ情報Ｄ２として、（Ｎｏ．４, ０４）が記憶部８Ａに記憶される。
【００６４】
本発注システム１５Ａでは、本１２を購読する注文を受けると、注文をした発注者の発注者ＩＤ１４と、この発注者が注文をした本１２の本ＩＤ１３と、ブックカバーＩＤ１６が対応付けられた発注情報Ｄ１２１あるいは発注情報Ｄ１２２が生成され、ＩＤ管理サーバ１０Ａに記憶される。
【００６５】
例えば、図９に示す例では、発注者ＩＤ１４が「Ａ」の発注者により、本ＩＤ１３が「００２」と「００５」の本が注文されたとする。また、本ＩＤ１３が「００２」の本にはブックカバーＩＤ１６が「０１」のブックカバーを掛け、本ＩＤ１３が「００５」の本にはブックカバーＩＤ１６が「０２」のブックカバーを掛けると選択されたとする。発注情報Ｄ１２１を、（本ＩＤ,発注者ＩＤ,ブックカバーＩＤ）と記述する場合、上述の例では、発注情報Ｄ１２１として、（００２,Ａ,０１）、（００５,Ａ,０２）がＩＤ管理サーバ１０Ａに記憶される。
【００６６】
発注者ＩＤ１４が「Ｂ」の発注者により、本ＩＤ１３が「００１」、「００４」及び「００７」の本が注文されたとする。また、本ＩＤ１３が「００１」の本にはブックカバーＩＤ１６が「０３」のブックカバーを掛け、本ＩＤ１３が「００４」の本にはブックカバーＩＤ１６が「０４」のブックカバーを掛け、本ＩＤ１３が「００７」の本にはブックカバーＩＤ１６が「０１」のブックカバーを掛けると選択されたとする。上述の例では、発注情報Ｄ１２１として、（００１,Ｂ,０３）、（００４,Ｂ,０４）、（００７,Ｂ,０１）がＩＤ管理サーバ１０Ａに記憶される。
【００６７】
図１０に示すように、本ＩＤ１３に本のサイズ情報が含まれる構成とすれば、本のサイズに合わせたブックカバーを掛けることが可能となる。本ＩＤ１３を所定の桁数の符号で表す場合に、本１２の識別情報が「ｍ１」、本１２のサイズ情報が「ｎ１」であるとすると、本ＩＤ１３を「ｎ１ｍ１」と記述する。例えば、本１２の識別情報が「ｍ１＝２」、本１２のサイズ情報が「ｎ１＝０１」であるとすると、本ＩＤ１３を「０１２」と記述する。
【００６８】
また、ブックカバーＩＤ１６を所定の桁数の符号で表す場合に、ブックカバー１２Ｃｖの識別情報が「ｍ２」、ブックカバー１２Ｃｖのサイズ情報が「ｎ２」であるとすると、ブックカバーＩＤ１６を「ｎ２ｍ２」と記述する。例えば、ブックカバー１２Ｃｖの識別情報が「ｍ２＝１」、ブックカバー１２Ｃｖのサイズ情報が「ｎ２＝１」であるとすると、ブックカバーＩＤ１６を「１１」と記述する。
【００６９】
本発注システム１５Ａでは、本ＩＤ１３で特定される本１２のサイズ情報「ｎ１」と、ブックカバーＩＤ１６で特定されるブックカバー１２Ｃｖのサイズ情報「ｎ２」が一致するブックカバーを選択する。例えば、発注者ＩＤ１４が「Ａ」の発注者により、本ＩＤ１３が「０１２」と「０２５」の本が注文されると、発注情報Ｄ１２２として、（０１２,Ａ,１１）、（０２５,Ａ,２２）がＩＤ管理サーバ１０Ａに記憶される。
【００７０】
また、発注者ＩＤ１４が「Ｂ」の発注者により、本ＩＤ１３が「０１１」、「０３４」及び「０４７」の本が注文されると、発注情報Ｄ１２２として、（０１１,Ｂ,１１）、（０３４,Ｂ,３３）、（０４７,Ｂ,４４）がＩＤ管理サーバ１０Ａに記憶される。
【００７１】
ブックカバー１２Ｃｖを選択して掛ける場合でも、注文を受けた本１２を収集する作業者は、本１２を収集する作業を発注者毎あるいはブックカバー１２Ｃｖ毎に分ける必要はない。作業者が取集した本１２は、ブックカバー掛け装置１Ａに１冊ずつ挿入される。ブックカバー掛け装置１Ａでは、制御部７Ａは、本取込部２Ａから挿入された本１２を本ＩＤ読取部３Ａに搬送し、本１２の本ＩＤ１３を本ＩＤ読取部３Ａで読み取る。
【００７２】
制御部７Ａは、本ＩＤ読取部３Ａによって本１２から読み取った本ＩＤ１３をＩＤ管理サーバ１０Ａに通知する。ＩＤ管理サーバ１０Ａでは、ブックカバー掛け装置１Ａで取得した本ＩＤ１３と対応付けられた発注者ＩＤ１４とブックカバーＩＤ１６を発注情報Ｄ１２で検索し、本ＩＤ１３で識別される本１２を注文した発注者の発注者ＩＤ１４と、発注者により選択あるいは本１２のサイズに応じて選択されたブックカバーＩＤ１６をブックカバー掛け装置１Ａに通知する。
【００７３】
制御部７Ａは、ＩＤ管理サーバ１０Ａから通知されたブックカバーＩＤ１６と対応付けられた給紙トレイ番号１７を給紙トレイ情報Ｄ２で検索し、発注者により選択あるいは本１２のサイズに応じて選択されたブックカバー１２Ｃｖが収納された給紙トレイ４０Ａを識別する。そして、該当する給紙トレイ４０Ａに収納されたブックカバー１２Ｃｖを給紙機構４１Ａでブックカバー掛け部５Ａに給紙する。また、制御部７Ａは、本１２をブックカバー掛け部５Ａに搬送し、保持機構５０Ａで保持する。
【００７４】
制御部７Ａは、保持機構５０Ａで保持された本１２の表紙及び裏表紙を、カバー掛け機構５１Ａの動作で開き、給紙機構４１Ａで給紙されたブックカバー１２Ｃｖを所定の位置で折り曲げることで、本１２にブックカバー１２Ｃｖを掛ける。
【００７５】
制御部７Ａは、ブックカバー１２Ｃｖが掛けられた本１２を、ＩＤ管理サーバ１０Ａから取得した発注者ＩＤ１４で識別される発注者毎に割り当てられた所定の排出トレイ６０Ａに排出する。
【００７６】
図９に示す発注情報Ｄ１２１で発注者によりブックカバー１２Ｃｖが選択された例では、本ＩＤ１３が「００２」と「００５」の本１２は、発注者ＩＤ１４が「Ａ」の発注者が注文した本１２である。本ＩＤ１３が「００２」の本１２は、ブックカバーＩＤ１６が「０１」のブックカバー１２Ｃｖが掛けられて、発注者ＩＤ１４が「Ａ」の発注者に割り当てられた排出トレイ６０Ａに排出される。また、本ＩＤ１３が「００５」の本１２は、ブックカバーＩＤ１６が「０２」のブックカバー１２Ｃｖが掛けられて、同じ排出トレイ６０Ａに排出される。
【００７７】
また、本ＩＤ１３が「００１」と「００４」及び「００７」の本１２は、発注者ＩＤ１４が「Ｂ」の発注者が注文した本１２である。本ＩＤ１３が「００１」の本１２は、ブックカバーＩＤ１６が「０３」のブックカバー１２Ｃｖが掛けられて、発注者ＩＤ１４が「Ｂ」の発注者に割り当てられた排出トレイ６０Ａに排出される。
【００７８】
また、本ＩＤ１３が「００４」の本１２は、ブックカバーＩＤ１６が「０４」のブックカバー１２Ｃｖが掛けられて、同じ排出トレイ６０Ａに排出される。更に、本ＩＤ１３が「００７」の本１２は、ブックカバーＩＤ１６が「０１」のブックカバー１２Ｃｖが掛けられて、同じ排出トレイ６０Ａに排出される。
【００７９】
これにより、発注者が選択したブックカバー１２Ｃｖを所望の本１２に掛けることができる。また、発注者が選択したブックカバー１２Ｃｖを、作業者がブックカバー掛け装置１Ａを操作して指定する必要はなく、作業者によるブックカバー１２Ｃｖの指定間違い等の作業ミスが発生せず、作業者の負荷を低減することができる。
【００８０】
なお、発注者毎にブックカバー１２Ｃｖを指定するのであれば、発注者ＩＤ１４にブックカバーＩＤ１６を付与しても良い。発注者ＩＤ１４とブックカバーＩＤ１６を所定の桁数の符号で表す場合に、発注者ＩＤ１４が「ｍ３」、ブックカバーＩＤ１６が「ｍ２」であるとすると、ブックカバーＩＤ１６が付与された発注者ＩＤ１４を「ｍ２ｍ３」と記述する。
【００８１】
例えば、発注者ＩＤ１４が「Ａ」の発注者が、ブックカバーＩＤ１６が「０１」のブックカバー１２Ｃｖを選択した場合に、本ＩＤ１３が「００２」と「００５」の本が注文された例では、発注情報Ｄ１２として、（００２,０１Ａ）、（００５,０１Ａ）がＩＤ管理サーバ１０Ａに記憶される。
【００８２】
また、発注者ＩＤ１４が「Ｂ」の発注者が、ブックカバーＩＤ１６が「０２」のブックカバー１２Ｃｖを選択した場合に、本ＩＤ１３が「００１」、「００４」及び「００７」の本が注文された例では、発注情報Ｄ１２として、（００１,０２Ｂ）、（００４,０２Ｂ）、（００７,０２Ｂ）がＩＤ管理サーバ１０Ａに記憶される。
【００８３】
本ＩＤ１３が「００２」と「００５」の本１２は、発注者ＩＤ１４が「Ａ」の発注者が注文した本１２であり、  ブックカバー掛け装置１Ａでは、何れの本１２も、ブックカバーＩＤ１６が「０１」のブックカバー１２Ｃｖが掛けられて、発注者ＩＤ１４が「Ａ」の発注者に割り当てられた排出トレイ６０Ａに排出される。
【００８４】
また、本ＩＤ１３が「００１」と「００４」及び「００７」の本１２は、発注者ＩＤ１４が「Ｂ」の発注者が注文した本１２であり、  ブックカバー掛け装置１Ａでは、何れの本１２も、ブックカバーＩＤ１６が「０２」のブックカバー１２Ｃｖが掛けられて、発注者ＩＤ１４が「Ｂ」の発注者に割り当てられた排出トレイ６０Ａに排出される。
【００８５】
図１０に示す発注情報Ｄ１２２で本１２のサイズによりブックカバー１２Ｃｖが選択された例では、本ＩＤ１３が「０１２」と「０２５」の本１２は、発注者ＩＤ１４が「Ａ」の発注者が注文した本１２である。本ＩＤ１３が「０１２」の本１２は、ブックカバーＩＤ１６が「１１」のブックカバー１２Ｃｖが掛けられて、発注者ＩＤ１４が「Ａ」の発注者に割り当てられた排出トレイ６０Ａに排出される。また、本ＩＤ１３が「０２５」の本１２は、ブックカバーＩＤ１６が「２２」のブックカバー１２Ｃｖが掛けられて、同じ排出トレイ６０Ａに排出される。
【００８６】
また、本ＩＤ１３が「０１１」と「０３４」及び「０４７」の本１２は、発注者ＩＤ１４が「Ｂ」の発注者が注文した本１２である。本ＩＤ１３が「０１１」の本１２は、ブックカバーＩＤ１６が「１１」のブックカバー１２Ｃｖが掛けられて、発注者ＩＤ１４が「Ｂ」の発注者に割り当てられた排出トレイ６０Ａに排出される。
【００８７】
また、本ＩＤ１３が「０３４」の本１２は、ブックカバーＩＤ１６が「３３」のブックカバー１２Ｃｖが掛けられて、同じ排出トレイ６０Ａに排出される。更に、本ＩＤ１３が「０４７」の本１２は、ブックカバーＩＤ１６が「４４」のブックカバー１２Ｃｖが掛けられて、同じ排出トレイ６０Ａに排出される。
【００８８】
これにより、本１２のサイズに合わせたブックカバー１２Ｃｖを掛けることができる。また、本１２のサイズに合うブックカバー１２Ｃｖを、作業者がブックカバー掛け装置１Ａを操作して指定する必要はなく、作業者によるブックカバー１２Ｃｖの指定間違い等の作業ミスが発生せず、作業者の負荷を低減することができる。
【００８９】
ここで、発注情報Ｄ１１、発注情報Ｄ１２１あるいは発注情報Ｄ１２２に、注文毎に付与される固有の識別情報である発注ＩＤを付与することで、本ＩＤ１３と発注ＩＤで特定される発注者ＩＤ１４を取得することができる。これにより、異なる発注者が同じ本を注文した場合等でも、ブックカバー１２Ｃｖが掛けられた本１２を、発注者を混在させることなく仕分けて排出することができる。
【００９０】
また、発注情報Ｄ１１、発注情報Ｄ１２１あるいは発注情報Ｄ１２２に、作業者毎に付与される固有の識別情報である作業者ＩＤを付与することで、作業者毎に担当する発注者を振り分けることができ、本ＩＤ１３と作業者ＩＤで特定される発注者ＩＤ１４を取得することができる。これにより、異なる発注者が同じ本を注文した場合等でも、ブックカバー１２Ｃｖが掛けられた本１２を、発注者を混在させることなく仕分けて排出することができる。
【００９１】
更に、発注情報Ｄ１１、発注情報Ｄ１２１あるいは発注情報Ｄ１２２に、ブックカバー掛け装置１Ａを識別する機体ＩＤを付与することで、本ＩＤ１３で特定される発注情報Ｄ１１あるいは発注情報Ｄ１２の通知先を、ブックカバー掛け装置１Ａ毎に振り分けることができる。
【００９２】
これにより、複数のブックカバー掛け装置１Ａが１台のＩＤ管理サーバ１０Ａと接続される場合でも、ＩＤ管理サーバ１０Ａでは、ブックカバー掛け装置１Ａから所得した本ＩＤ１３に基づき、所定のブックカバー掛け装置１Ａに、本ＩＤ１３の基づき発注情報Ｄ１１、発注情報Ｄ１２１あるいは発注情報Ｄ１２２を通知することができる。よって、他のブックカバー掛け装置１Ａで処理すべき発注者の本と誤認識することなく、ブックカバー１２Ｃｖが掛けられた本１２を、発注者毎に仕分けて排出することができる。
【００９３】
なお、ブックカバー掛け装置１Ａにプリンタを備え、ブックカバー１２Ｃｖに印刷ができるようにしてもよい。例えば、ブックカバー１２Ｃｖは書店毎に異なる絵柄が採用されているが、無地のブックカバー１２Ｃｖに対して、ブックカバーＩＤ１６で識別される書店毎の絵柄を印刷できるようにすれば、予め用意するブックカバー１２Ｃｖの種類を低減することができる。
【００９４】
＜第２の実施の形態のブックカバー掛け装置及びブックカバー掛けシステムの構成例＞
図１１は、第２の実施の形態のブックカバー掛けシステムの一例を示す構成図、図１２は、第２の実施の形態のブックカバー掛け装置の一例を示す構成図である。
【００９５】
第２の実施の形態のブックカバー掛け装置１Ｂは、発注情報Ｄ１１、または、図９、図１０で説明した発注情報Ｄ１２１あるいは発注情報Ｄ１２２を記憶する記憶手段をブックカバー掛け装置１Ｂに備えることで、ＩＤ管理サーバと接続することなく、ブックカバー掛け装置１Ｂ単体でブックカバー１２Ｃｖを掛ける処理を行えるようにしたものである。
【００９６】
ブックカバー掛け装置１Ｂにおいて、本取込部２Ａ、本ＩＤ読取部３Ａ、給紙部４Ａ、ブックカバー掛け部５Ａ及び仕分け部６Ａは、第１の実施の形態のブックカバー掛け装置１Ａと同様で良い。ブックカバー掛け装置１Ｂは、本ＩＤ読取部３Ａで読み取った本ＩＤ１３に基づき、本１２にブックカバー１２Ｃｖを掛けて仕分ける制御部７Ｂと、発注情報Ｄ１１、発注情報Ｄ１２１あるいは発注情報Ｄ１２２と、制御部７Ｂで実行されるプログラム等を記憶する記憶部８Ｂを備える。また、ブックカバー掛け装置１Ｂは、外部装置との通信を行う通信部９Ｂを備える。
【００９７】
ブックカバー掛け装置１Ｂは、発注情報Ｄ１１、発注情報Ｄ１２１あるいは発注情報Ｄ１２２を取得するため、本発注システム１５Ａと接続されてブックカバー掛けシステム１１Ｂを構成する。
【００９８】
制御部７Ｂは制御手段の一例で、ブックカバー掛け装置１Ａで取り込んだ本１２から本ＩＤ読取部３Ａによって読み取った本ＩＤ１３で記憶部８Ｂを検索し、この本１２を注文した発注者の発注者ＩＤ１４を発注情報Ｄ１１、発注情報Ｄ１２１あるいは発注情報Ｄ１２２から取得する。
【００９９】
そして、ブックカバー掛け装置１Ｂで取り込んだ本１２に、ブックカバー掛け部５Ａでブックカバー１２Ｃｖを掛けると共に、発注情報Ｄ１１、発注情報Ｄ１２１あるいは発注情報Ｄ１２２で本ＩＤ１３から発注者ＩＤ１４が特定されて発注者が識別された本１２を、発注者毎に仕分けをして排出する。
【０１００】
記憶部８Ｂは記憶手段の一例で、上述した発注情報Ｄ１１、発注情報Ｄ１２１あるいは発注情報Ｄ１２２と、本１２にブックカバー１２Ｃｖを掛ける処理を実行するプログラム、同処理で使用される情報等が記憶される。通信部９Ｂは通信手段の一例で、有線あるいは無線で本発注システム１５Ａ、図示しないパーソナルコンピュータやタブレット端末等の情報機器と接続され、通信の制御を行う。
【０１０１】
＜第２の実施の形態のブックカバー掛け装置及びブックカバー掛けシステムの動作例＞
次に、各図を参照して、第２の実施の形態のブックカバー掛け装置１Ｂで本１２にブックカバー１２Ｃｖを掛け、発注者毎に仕分ける動作について説明する。
【０１０２】
ブックカバー掛け装置１Ｂは、本１２の注文時は、例えば、本発注システム１５Ａに接続される。本発注システム１５Ａでは、本１２を購読する注文を受けると、注文をした発注者の発注者ＩＤ１４と、この発注者が注文をした本１２の本ＩＤ１３が対応付けられた発注情報Ｄ１１、発注情報Ｄ１２１あるいは発注情報Ｄ１２２が生成され、ブックカバー掛け装置１Ｂに転送されて、記憶部８Ｂに記憶される。図１１の例では、発注情報Ｄ１１を取得した例を示す。
【０１０３】
なお、小規模な構成で使用する場合、ブックカバー掛け装置１Ｂに備えた図示しない操作部での操作、あるいは、ブックカバー掛け装置１Ｂにパーソナルコンピュータやタブレット端末等の情報機器を接続して、これら機器での操作により、発注情報Ｄ１１あるいは発注情報Ｄ１２が記憶部８Ｂに記憶できるようにしても良い。
【０１０４】
ブックカバー掛け装置１Ｂでも、ブックカバー１２Ｃｖが掛けられた本１２を仕分けるので、本１２を収集する作業を発注者毎に分ける必要はなく、異なる発注者の本１２が混在するような形態で収集をすることが可能となる。
【０１０５】
作業者が取集した本１２は、ブックカバー掛け装置１Ｂに１冊ずつ挿入される。ブックカバー掛け装置１Ｂでは、制御部７Ｂは、本取込部２Ａから挿入された本１２を本ＩＤ読取部３Ａに搬送し、本１２の本ＩＤ１３を本ＩＤ読取部３Ａで読み取る。
【０１０６】
制御部７Ｂは、本ＩＤ読取部３Ａによって本１２から読み取った本ＩＤ１３と対応付けられた発注者ＩＤ１４を、記憶部８Ｂに記憶された発注情報Ｄ１１で検索し、本ＩＤ１３で識別される本１２を注文した発注者の発注者ＩＤ１４を取得する。
【０１０７】
制御部７Ｂは、給紙トレイ４０Ａに収納されたブックカバー１２Ｃｖを給紙機構４１Ａでブックカバー掛け部５Ａに給紙する。また、制御部７Ｂは、本１２をブックカバー掛け部５Ａに搬送し、保持機構５０Ａで保持する。
【０１０８】
制御部７Ｂは、保持機構５０Ａで保持された本１２の表紙及び裏表紙を、カバー掛け機構５１Ａの動作で開き、給紙機構４１Ａで給紙されたブックカバー１２Ｃｖを所定の位置で折り曲げることで、本１２にブックカバー１２Ｃｖを掛ける。
【０１０９】
制御部７Ｂは、ブックカバー１２Ｃｖが掛けられた本１２を、記憶部８Ｂから取得した発注者ＩＤ１４で識別される発注者毎に割り当てられた所定の排出トレイ６０Ａに排出する。
【０１１０】
ブックカバー掛け装置１Ｂでは、異なる発注者により注文された本１２が混在した状態でブックカバー１２Ｃｖを掛ける処理を行う場合でも、装置単体で、本１２から読み取った本ＩＤ１３で発注情報Ｄ１１を検索して取得した発注者ＩＤ１４に基づき、発注者毎に割り当てられた排出トレイ６０Ａに本１２が排出される。
【０１１１】
図１１に示す発注情報Ｄ１１の例では、本ＩＤ１３が「００２」と「００５」の本１２は、発注者ＩＤ１４が「Ａ」の発注者が注文した本１２であり、発注者ＩＤ１４が「Ａ」の発注者に割り当てられた排出トレイ６０Ａに排出される。
【０１１２】
また、本ＩＤ１３が「００１」と「００４」及び「００７」の本１２は、発注者ＩＤ１４が「Ｂ」の発注者が注文した本１２であり、発注者ＩＤ１４が「Ｂ」の発注者に割り当てられた排出トレイ６０Ａに排出される。
【０１１３】
これにより、ブックカバー掛け装置１Ｂでも、本１２を収集する作業を発注者毎に分ける等、人手によって本１２を発注者毎に仕分ける必要はなく、作業者の負荷を低減することができる。ブックカバー掛け装置１Ｂでは、ブックカバー１２Ｃｖを識別するブックカバーＩＤ１６が付与された発注情報Ｄ１２１あるいは発注情報Ｄ１２２を記憶部８Ｂに記憶することで、本１２のサイズ、発注者の選択等に応じた所望のブックカバー１２Ｃｖを本１２に掛けることが可能である。
【産業上の利用可能性】
【０１１４】
本発明は、本にブックカバーを掛ける処理を行うシステムに適用される。
【符号の説明】
【０１１５】
１Ａ,１Ｂ・・・ブックカバー掛け装置、１０Ａ・・・ＩＤ管理サーバ、１１Ａ,１１Ｂ・・・ブックカバー掛け装置、１２・・・本、１２Ｃｖ・・・ブックカバー、１３・・・本ＩＤ、１４・・・発注者ＩＤ、１５Ａ・・・本発注システム、１６・・・ブックカバーＩＤ、１７・・・給紙トレイ番号、２Ａ・・・本取込部、３Ａ・・・本ＩＤ読取部、４Ａ・・・給紙部、４０Ａ・・・給紙トレイ、４１Ａ・・・給紙機構、５Ａ・・・ブックカバー掛け部、６Ａ・・・仕分け部、６０Ａ・・・排出トレイ、７Ａ,７Ｂ・・・制御部、８Ａ,８Ｂ・・・記憶部、９Ａ,９Ｂ・・・通信部、Ｄ１１,Ｄ１２１,Ｄ１２２・・・発注情報
【図１】
2016043533.tif 000003
【図２】
2016043533.tif 000004
【図３】
2016043533.tif 000005
【図４】
2016043533.tif 000006
【図５】
2016043533.tif 000007
【図６】
2016043533.tif 000008
【図７】
2016043533.tif 000009
【図８】
2016043533.tif 000010
【図９】
2016043533.tif 000011
【図１０】
2016043533.tif 000012
【図１１】
2016043533.tif 000013
【図１２】
2016043533.tif 000014
【図１３】
2016043533.tif 000015